(57)【特許請求の範囲】
【請求項１】
ケースとカバーからなる本体ケースに開閉機構が収納され、該カバーには操作ハンドルの側方に内部付属装置を収納する凹所を形成した回路遮断器において、
回路遮断器のオン，オフ状態では内部付属装置の装着を阻止し、トリップ動作状態でのみ内部付属装置の着脱を許容するインターロック手段として、操作ハンドルに連繋してオン，オフ，トリップ位置に移動する干渉部材を前記凹所内に突き出して配備し、該干渉部材が操作ハンドルのハンドルレバー側面に設けてカバーの凹所内方に突き出したレバーであり、該干渉レバーのオン，オフ位置に対応して内部付属装置の外装ケースの底部側に干渉突起を設けたことを特徴とする回路遮断器。
【請求項２】
請求項１に記載の回路遮断器において、干渉レバーが、カバーの凹所と操作ハンドルとの間を仕切っている隔壁の下縁側を跨いで操作ハンドルのハンドルレバー側面に突設されていることを特徴とする回路遮断器。
【発明の詳細な説明】
【技術分野】
【０００１】
本発明は、配線用遮断器，漏電遮断器などを対象とする回路遮断器に関し、詳しくは本体ケースのカバーに形成した内部付属装置の収納構造に係わる。
【背景技術】
【０００２】
頭記の配線用遮断器，漏電遮断器には、ユーザーが選択的に使用する付属装置として回路遮断器のＯＮ，ＯＦＦ，ＴＲＩＰ動作を電気的に表示する補助スイッチ，警報スイッチ，外部からの信号で遮断器をトリップさせる電圧引外し装置，不足電圧引外し装置などが後付けオプション品として用意されており、これに対応して回路遮断器の本体ケースのカバーには、前記の各種内装付属装置を装着するために補助カバー付きの収納部（凹所）を備えている（例えば、特許文献１，特許文献２参照）。
【０００３】
次に、配線用回路遮断器を例にその基本構造を図４に、また本体ケースに内部付属装置の収納部を備えた回路遮断器のケース外形を図５に示す。まず、図５において、１は本体ケース、２は固定接触子、３は可動接触子、４は可動接触子ホルダ、５は前記ホルダ４に連繋したトグルリンク式接点開閉機構、６は操作ハンドル、７はラッチ受け、８はトリップクロスバーであり、操作ハンドル６はハンドルレバー６ａを介して開閉機構のフレーム５ａに枢支されている。上記構成の回路遮断器の動作は周知の通りであり、図示の接点閉極状態で操作ハンドル６をＯＮからＯＦＦ位置に倒すと、開閉機構５のトグルリンク機構が反転動作して可動接点３が開極する。また、図示してない過電流検知装置の出力信号を受けて開閉機構５のラッチ５ｃが釈放されると、いままで蓄勢していた開閉ばね５ｂのばね力でトグルリンク機構が反転動作して可動接触子３が開極するとともに、この開極動作に連動して操作ハンドル６はＯＮ位置からＯＦＦ位置との間のＴＲＩＰ位置に移動して停止する。このトリップ動作状態では開閉ばね５ｂはばね力を放勢してフリーとなる。なお、トリップ動作後に回路遮断器を再投入するには、操作ハンドル６を一端ＯＦＦ位置に移動してラッチをリセットした後にＯＮ位置に移動操作する。また、図示してないが回路遮断器にはトリップボタンが標準装備されており、このトリップボタンを人為的に押すことで回路遮断器をトリップ動作させるようにしている。
【０００４】
また、回路遮断器の本体ケース１（モールド樹脂ケース）は、図６で示すようにケース１ａとカバー１ｂと補助カバー１ｃからなり、カバー１ｂには中央に配した操作ハンドル６を挟んでその左右両サイドに先記した内部付属装置の収納部としてポケット状の凹所１ｄが形成されている。そして、補助スイッチ，警報スイッチ，電圧引外し装置，不足電圧引外し装置などの各種の内部付属装置９は、前記凹所１ｄの指定された位置にカセット式に挿入して装着するようにしている。なお、補助カバー１ｃは閉位置で前記凹所１ｄの開口面を覆うためのカバーで、その一端がカバー１ｂにヒンジ結合されている。
【０００５】
一方、前記の内部付属装置を回路遮断器に後付け装着する場合に、回路遮断器のＯＮ状態（通電状態）で内部付属装置９をカバー１ｂの凹所１ｄに装着することは、誤って充電部に手指が触れて感電のおそれがあり危険である。また、回路遮断器のＯＦＦ状態でも、内部付属装置９を着脱する作業中に開閉機構（開閉ばねが蓄勢状態にある）のラッチが外れて不測にトリップ動作すると、開閉機構の反転動作に伴う衝撃で内部付属装置のアクチュエータが折損したり、トグルリンク機構に作業者の手指が挟まれて怪我するおそれがある。特に、不足電圧引外し装置は無電圧では回路遮断器をリセット状態に保てないので、回路遮断器がＯＦＦの状態でも不足電圧引外し装置の装着と同時に開閉機構がトリップ動作するので危険である。これに対して、回路遮断器がトリップ動作した状態にあれば、非通電で開閉機構の開閉ばねも蓄勢されてないフリーの状態にあるので、不足電圧引外し装置を含めて各種内部付属装置の着脱作業が安全に行える
そこで、先記の特許文献２に開示されている回路遮断器では、内部付属装置を着脱する際の安全対策として、図６に示した開閉機構のラッチに連動する係止爪で本体ケース１の補助カバー１ｃを閉位置に係止するようにし、回路遮断器のＯＮ，ＯＦＦ状態では補助カバーの開放を阻止し、トリップ動作状態でのみ補助カバーを開放できるようにして内部付属装置の装着，取り出しが安全に行えるようにしている。
【特許文献１】特許第３０９７３６８号公報
【特許文献２】特開２０００−３６５６号公報
【発明の開示】
【発明が解決しようとする課題】
【０００６】
ところで、内部付属装置の着脱安全策として、前記特許文献２に開示されている方式は取扱い作業面で次記のような課題が残る。すなわち、内部付属装置の装着方法に関するマニュアルに精通してないユーザーは、操作ハンドルを手動によりＯＦＦ操作して回路遮断器を開極した状態でも補助カバーを開くことができないことから、ケース構造に不備があるものと勘違いするおそれがある。また、回路遮断器の据付け，点検時など補助カバーが開いている状態で、操作ハンドルの位置がトリップ位置にあることを確認せずに作業者が内部付属装置を装着しようとすると、先記のように開閉機構の不測なトリップ動作により手指が挟まれて怪我するおそれがある。また、補助カバーが開いている状態で内部付属装置を収納部から取り外す場合においても、前記と同様に操作ハンドルがＯＮあるいはＯＦＦ位置に停止している状態で作業を行うと危険を伴うことになる。
【０００７】
本発明は上記の点に鑑みなされたものであり、本体ケースの補助カバーが開いている状態でも、回路遮断器のＯＮあるいはＯＦＦ状態では内部付属装置の装着を阻止し、回路遮断器がトリップ動作した状態にある場合のみ内部付属装置の挿脱を可能にしてユーザーで行う作業の安全性確保を図った回路遮断器を提供することを目的とする。
【課題を解決するための手段】
【０００８】
上記目的を達成するために、本発明によれば、ケースとカバーからなる本体ケースに開閉機構が収納され、該カバーには操作ハンドルの側方に内部付属装置を収納する凹所を形成した回路遮断器において、
回路遮断器のオン，オフ状態では内部付属装置の装着を阻止し、トリップ動作状態でのみ内部付属装置の着脱を許容するインターロック手段として、操作ハンドルに連繋してオン，オフ，トリップ位置に移動する干渉部材を前記凹所内に突き出して配備し、該干渉部材が操作ハンドルのハンドルレバー側面に設けてカバーの凹所内方に突き出したレバーであり、その干渉レバーのオン，オフ位置に対応して内部付属装置の外装ケースの底部側に干渉突起を設けるものとする。
また、前記干渉レバーを、カバーの凹所と操作ハンドルとの間を仕切っている隔壁の下縁側を跨いで操作ハンドルのハンドルレバー側面に突設するようにしてもよい。
【発明の効果】
【０００９】
上記の構成によれば、ユーザーが内部付属装置を後付けする際に、回路遮断器がトリップ動作の状態である場合を除き、操作ハンドルがオン，あるいはオフ位置に停止している状態では、本体ケースのカバー凹所に挿入しようとする内部付属装置の干渉突起が同凹所内に突き出している干渉レバーの頂部に突き当たって所定の装着位置まで押し込むことができない。これに対して、回路遮断器を人為的にトリップ動作させると、干渉レバーが操作ハンドルに連動してトリップ位置に移動するので、干渉レバーの干渉を受けずに内部付属装置を所定位置に押し込んで装着できる。しかも、回路遮断器のトリップ動作状態では主回路接点が開極し、また開閉機構の開閉ばねもフリーとなっているので内部付属装置を安全に装着できる。
【００１０】
これにより、ユーザーでも内部付属装置の着脱作業が安全に行えて回路遮断器の取扱い性，信頼性が向上する。
【発明を実施するための最良の形態】
【００１１】
以下、本発明の実施の形態を図１〜図４に示す実施例に基づいて説明する。なお、実施例の図中で図５，図６に対応する部材には同じ符号を付してその説明は省略する。
すなわち、図示実施例の回路遮断器では、図１（ａ）〜（ｃ）で示すように操作ハンドル６に結合した逆Ｕ字形のハンドルレバー６ａに対し、その枢支点Ｏに近い先端の外側面から本体ケース１のカバー１ｂに形成した凹所１ｄの内方に向けて突き出す干渉レバー６ｂが追加して設けてある。この干渉レバー６ｂは、図示のようなＵ字状になる樹脂成形部品であってその取付基部をハンドルレバー６ａの外側面に固定して操作ハンドル６と連動させ、この干渉レバー６ｂのＵ字状の溝部を仕切隔壁１ｂ−１に挟持保持させて先端のレバー部がカバー１ｂに形成した凹所１ｄ（操作ハンドル６に隣接する凹所）との間の仕切隔壁１ｂ−１を下側から跨いで凹所１ｄの内方へ突き出すように設置している。また、図４は操作ハンドル６をＯＦＦ位置に倒して補助カバー１ｃを開放した状態での本体ケース１の外観図であり、操作ハンドル６の側方に隣接する凹所１ｄの内方には前記した干渉レバー６ｂが突き出している。なお、図示例では干渉レバー６ｂがＵ字形になるハンドルレバー６ａの片側脚片にのみ設けてあるが、両側の脚片に設けることもできる。また、干渉レバー６ｂをハンドルレバー６ａと同じ部材により一体に形成するようにしてもよい。
【００１２】
一方、前記の凹所１ｄに装着する内部付属装置（図示例では不足電圧引外し装置）９には、前記干渉レバー６ｂに対向して外装ケース（樹脂ケース）の底部から側方に突き出す左右一対の干渉突起９ａが形成されている。なお、図１（ｃ）で９ｂは内部付属装置９を凹所１ｄに係止するスナップフィット、９ｃは不足電圧引外し装置の動作で回路遮断器をトリップさせる操作レバーである。
【００１３】
上記の構成で、操作ハンドル６を図２（ａ）のＯＦＦ位置に倒すと、干渉レバー６ｂは操作ハンドルに連動して図示の位置Ｉに移動する。また、操作ハンドル６をＯＮ位置に倒すと干渉レバー６ｂは前記位置Ｉから図２（ｂ）の位置IIに移動し、さらに回路遮断器のトリップ動作状態では干渉レバー６ｂが図２（ｃ）で示すように前記位置ＩとIIとの間の中間位置IIIに停止する。
【００１４】
そして、図２（ａ），（ｂ）に示すＯＦＦ，ＯＮ状態で、本体ケースのカバー１ｂに形成した凹所１ｄに内部付属装置９を装着しようとすると、図３（ａ）で示すように内部付属装置９の外装ケースに設けた干渉突起９ａが凹所１ｄ内に突き出している干渉レバー６ｂの頂部に突き当たって装着が阻止される。これに対して、人為的にトリップボタンを押すなどして回路遮断器をトリップ動作させた状態では、トリップレバー６ｂが図２（ｃ）のＴＲＩＰ位置IIIに移動するので、干渉突起９ａと干渉レバー６ｂとの干渉なしに内部付属装置９を凹所１ｄに押し込んで所定位置に装着することができる。なお、凹所１ｄに内部付属装置９を装着した後に、操作ハンドル６をＴＲＩＰ位置からＯＦＦ→ＯＮ位置に操作して回路遮断器をリセットすると、干渉レバー６ｂは図２（ａ），（ｂ）の位置に移動するので、この状態で内部付属装置９を凹所１ｄから抜き外そうとしても、干渉突起９ａが干渉レバー６ｂと干渉して抜き出すことができない。
【００１５】
したがって、内部付属装置９の着脱操作に際しては、回路遮断器を一旦人為的にトリップ動作させない限り、ＯＮ，あるいはＯＦＦ状態のままでは内部付属装置９を着脱することができない。これにより、手指の怪我，内部付属装置のアクチュエータ折損などの不測なトラブル発生を防止し、回路遮断器をトリップ動作させた状態で内部付属装置の着脱作業を安全に行うことができる。
【図面の簡単な説明】
【００１６】
【図１】本発明の実施例による回路遮断器の主要部構造図で、（ａ）は操作ハンドルを中心にした本体ケースのカバー断面図、（ｂ）は（ａ）における操作ハンドルレバーの斜視図、（ｃ）はカバーに形成した凹所内に装着する内部付属装置（不足電圧引外し装置）の外形斜視図
【図２】図１における干渉レバーについて、回路遮断器の動作に対応して変位する干渉レバーの停止位置を表す図で、（ａ），（ｂ），（ｃ）はそれぞれＯＦＦ，ＯＮ，ＴＲＩＰに対応した図
【図３】図１（ｃ）の内部付属装置に設けた干渉突起と図２（ａ）〜（ｃ）の干渉レバーとの相関関係を表す図で、（ａ）はＯＮ，ＯＦＦ、（ｂ）はＴＲＩＰの状態図
【図４】図１に対応する回路遮断器で補助カバーを開放した状態の外観図
【図５】配線用回路遮断器を例示した回路遮断器の構成断面図
【図６】回路遮断器の本体ケースに内部付属装置を装着した状態を表す外観図
【符号の説明】
【００１７】
１    回路遮断器の本体ケース
１ａ  ケース
１ｂ  カバー
１ｃ  補助カバー
１ｄ  凹所（内部付属装置の収納部）
６    操作ハンドル
６ａ  ハンドルレバー
６ｂ  干渉レバー
９    内部付属装置（不足電圧引外し装置）
９ａ  干渉突起
【図１】
0004830595.tif 000002
【図２】
0004830595.tif 000003
【図３】
0004830595.tif 000004
【図４】
0004830595.tif 000005
【図５】
0004830595.tif 000006
【図６】
0004830595.tif 000007